(57)【要約】【課題】所要の情報を書換え可能に表示するデジタルペーパーを利用し、その表示部に表示される情報を切り換える機能を有する自動車バックウィンドウの表示板。【解決手段】自動車バックウィンドウの表示板に使用される所要の情報を書換え可能に表示するためのデジタルペーパーと、デジタルペーパーの表示部に表示される情報を切換えるための表示切換え部と、外部からの情報を入力するためのインターフェース部と、インターフェース部を介して入力された情報を表示切換え部を介してデジタルペーパーの表示部に表示する動作を制御するための制御部とを備えている。【選択図】    図１
2004210252.tif 000002
【特許請求の範囲】
【請求項１】
自動車のバックウィンドウに取り付ける表示板に使用されて、所要の情報を書換え可能に表示するためのデジタルペーパーと、前記デジタルペーパーの表示部に表示される情報を切り換えるための表示切換え部と、外部から情報を入力するためのインターフェース部と、前記インターフェース部を介して入力された情報を前記表示切換え部を介して前記デジタルペーパーの表示部に表示する動作を制御するための制御部とを備えていることを特徴とする、デジタルペーパーの表示切換え機能付き自動車バックウィンドウに取り付ける表示板。
【請求項２】
デジタルペーパーを切換えるために回転式表示切換えコントローラーを使用することを特徴とする請求項１に記載の自動車バックウィンドウに取り付ける表示板。
【請求項３】
前記デジタルペーパーの表示部は、電気泳動法、トナーディスプレイ法、またはツイストボール法に基づいて所要の情報を書換え可能に表示することを特徴とする請求項１に記載の自動車バックウィンドウに取り付ける表示板。
【発明の詳細な説明】
【０００１】
【発明の属する技術分野】
本研究は、デジタルペーパーの表示切換え機能付き自動車バックウィンドウに取り付ける表示板に関するものである。
【０００２】
【従来の技術】
従来は初心者マーク、高齢者マーク、「赤ちゃんが乗っています」などのメッセージが書かれた表示板。
【０００３】
【発明が解決しようとする課題】
従来のものは単一の表示しかできず、使用期間を終えると不必要となり応用性がなかった。また「赤ちゃんが乗っています」などと書かれてもどう注意すべきなのか不明瞭であった。
【０００４】
【課題を解決するための手段】
本発明は、自動車バックウィンドウに取り付ける表示板に電子ペーパーディスプレイを使用することで単一の表示でなくさまざまな情報に切換えることができ不必要になることがない。また多くの情報を後続のドライバーに伝えることができるため上記の課題を解決することができる。
【０００５】
さらに、本発明の好ましい態様によれば、前記デジタルペーパーの表示部は、電気泳動法、トナーディスプレイ法、またはツイストボール法に基づいて所要の情報を書換え可能に表示する。
【０００７】
回転式の表示切換えコントローラーを使用することで、乗車中も容易に表示パターンを切換えることが可能である。
【０００６】
【考案の実施の形態】
ＩＴ（通信・情報技術）の急速な進歩により、人対人、人対社会の重要なコミュニケーションメディアは、「紙」から「電子メディア」へと変わりつつある。「電子メディア」の表示媒体は、ＣＲＴやＴＦＴであるが、紙と比較して長時間文書を読むと疲れ易いという不都合がある。また、ＣＲＴやＴＦＴでは、表示を維持するために電力が必要であるという不都合や、携帯性に劣るという不都合もある。
【０００７】
そこで、紙と同様に、読み易さや、省電力性や、携帯性を有する「電子メディア」が開発されつつある。この種の表示媒体は、紙からのアプローチとしての「リライタブルペーパー」と、ディスプレイからのアプローチとしての「ペーパーライクディスプレイ」と二通りあるが、いずれも場合も「デジタルペーパー」と呼ばれている。なお、デジタルペーパーの表示技術として、「電気泳動法」、「トナーディスプレイ法」、「ツイストボール法」、「可動フィルムディスプレイ法」、「サーマルリライタブル方式」、「反射型液晶パネル方式」などが知られている。
【０００８】
ここで、電気泳動法では、２枚のプレートがたとえば５０μｍの間隔を隔てて対向するように配置され、その中に青色の有機溶剤とプラスに帯電した白色の酸化チタン微粒子とが入っている。下のプレートに対して部分的に極性を付与すると、その極性によってチタン微粒子が上下に移動する。その結果、青地に白く文字や図形が表示される。なお、トナーディスプレイ法は、電気泳動法に類似した方式である。
【０００９】
一方、ツイストボール法では、対向する一対のプレートのうち下のプレートにゴルフボールのディンプルのような溝が形成され、その溝の中に絶縁性の液体と直径がたとえば５０μｍの白色ナイロンの球とが入っている。ナイロン球の半分には、プラスに帯電した黒色インキが塗布されている。この場合、電気泳動法と同様に、下のプレートに対して部分的に極性を付与すると、その極性によってナイロン球が回転する。その結果、ナイロン球の黒色インキ部が上になる箇所では、白地に黒く表示される。
【００１０】
その他の表示技術については説明を省略するが、いずれの方式を用いたデジタルペーパーにおいても、表示の形成には電力を必要とするものの、表示の維持にはエネルギーが不要である。一般に、デジタルペーパーの達成可能な基本機能として、視認性（印刷物レベルの読み易さ）、書換え性（情報の消去、再書込みが可能）、および像保存容易性（表示の維持エネルギーが不要）が挙げられる。なお、書込みエネルギーは、できるだけ小さいことが望ましい。
【００１１】
また、デジタルペーパーの達成可能な付加機能として、加筆性（表示面に加筆可能なこと）、および加筆情報の再利用性（加筆情報がデジタル情報として再利用可能なこと）が挙げられる。なお、カラー表示（フルカラー表示）が可能であることが望ましい。さらに、デジタルペーパーの達成可能な取扱機能として、可搬性（持ち運べること）、薄型性（紙のようにある程度薄いこと）、および屈曲性（紙状に折り畳み可能なこと）が挙げられる。
【００１２】
本発明では、上述のデジタルペーパーを自動車バックウィンドウに取り付ける表示板に使用している。また、表示板は表示切換え部とインターフェース部と制御部とを内蔵している。こうして、インターフェース部を介して外部から入力された情報を表示切換え部を介してデジタルペーパーの表示部に表示する動作を制御することができる。本発明の自動車バックウィンドウに取り付ける表示板は、書換え可能に表示するデジタルペーパーを利用し、その表示部に表示される情報を切り換える機能を有する。
【００１３】
【考案の効果】
以上説明したように本発明では、自動車バックウィンドウに取り付ける表示板に電子ペーパーディスプレイを使用することで単一の表示でなくさまざまな情報に切換えることができ不必要になることがない。また多くの情報を後続のドライバーに伝えることができるので問題を解決することができる。
【図面の簡単な説明】
【図１】本発明の実施形態にかかるのデジタルペーパーの表示切換え機能付き自動車バックウィンドウに取り付ける表示板の構成を概略的に示す正面図である。
【図２】車内において本実施形態にかかる電源の取得方法を示した図である。
【図３】図１のデジタルペーパーの構成を概略的に示す図である。
【図４】図１の表示板に内蔵された装置の内部構成を概略的に示す図である。
【図５】表示切換え操作を行なうためのコントローラーを示した図である。
【符号の説明】
１…表示板
２…デジタルペーパー
３…取り付けよう吸盤
４…電源ケーブル
５…シガーソケット
６…表示切換えコントローラー
７…ＩＣモジュール
８…電源ケーブル差込み口
９…コントローラー差込み口
１０…外部入力ケーブル差込み口
１１…制御部
１２…情報記憶部
１３…選択部
１４…インターフェース部
１５…表示切換え部
１６…電源部
１７…切換えつまみ
１８…現在の表示パターンを示す矢印
【図１】
2004210252.tif 000003
【図２】
2004210252.tif 000004
【図３】
2004210252.tif 000005
【図４】
2004210252.tif 000006
【図５】
2004210252.tif 000007